(57)【特許請求の範囲】
【請求項１】
本体内部にビール又は発泡酒のような飲料が充填される缶の頂部面の蓋であって、
前記頂部面の中央領域に、該頂部面の周辺残部領域に対して段差をもって低く形成され、弧状外周部を当該頂部面の外周境界の近傍に臨ませた開口部形成領域と、
前記開口部形成領域の中央位置に先端側の近傍が枢着部にて枢着されるとともに、後端側に指かけ用孔を穿設した開口用の小片と、
前記開口部形成領域における前記小片の後端側に対応する位置に形成した指掛かり穴と、
前記開口部形成領域に形成した前記小片により開口される開口部と、
を有し、
前記開口部は、
前記開口部形成領域において、前記枢着部側を前記小片の突出端側に近接する基端側とし、枢着部を通り前記小片の操作方向の仮想線を想定するとき、仮想線方向の最大寸法を２０ｍｍ、仮想線と直交する方向の最大寸法を２７乃至３５ｍｍとする楕円近似形状の外周を具備し、
前記枢着部を基準とする時計回りの角度を想定するとき、前記枢着部から４５度付近の領域の残厚は最も厚い０．１３０乃至０．１４０ｍｍとし、枢着部から９０乃至２７０度の範囲又は前記枢着部近傍まで至る開口端までの残厚は最も薄い０．０６５乃至０．０７５ｍｍとし、枢着部近傍の領域の残厚を前記２つの残厚の中間の厚さである０．１２０乃至０．１３０ｍｍとしたことを特徴とする缶蓋。
【請求項２】
前記開口部において、枢着部から９０乃至２７０度の範囲に至る開口の当該９０度、２７０度付近の形状を半径Ｒ６乃至９ｍｍとしたことを特徴とする請求項１記載の缶蓋。
【発明の詳細な説明】
【技術分野】
【０００１】
本発明は、ビールをはじめとする飲料用の缶に関し、詳しくはビール（又は適宜の炭酸飲料等の各種飲料）が充填されて販売に供される缶の開口部に斬新な改良を施した缶蓋に関する。
【背景技術】
【０００２】
従来、ビール又は適宜の炭酸飲料等の各種飲料を詰めて販売するための缶としては、図６に示すものが一般的である（特許文献１中の図５）。
【０００３】
図６は従来における缶２０の平面図（特許文献１中の図５）であり、この缶２０は、その上面に、缶の内容物であるビール等の飲料を飲用する際の開口部２１を具備している。
【０００４】
上記開口部２１は、缶２０の頂部面２２の中心位置に、指かけ用の孔２３を穿設した小片２４を枢着部２５にて枢着し、この枢着部２５を中心として前記小片２４の対称の部分にプレス等の手段をもって形成した開口用線２６を設けてなるものである。
【０００５】
図６に示す缶２０は、小片２４の孔２３に指をかけて上方に引くと、枢着部２５を支点としながら、小片２４の先端部２７の部分をもって頂部面２２の開口用線２６に囲まれた範囲が缶２０の内方に押されることになり、開口用線２６に囲まれた範囲が頂部面２２から剥離して当該部分が開口する。
なお、缶２０の上方に引かれた前記小片２４の孔２３の部分は、開口後、これを元の位置に押し戻すようにしても良い。そして、上記開口した部分をもって缶２０内に充填されているビール等の飲料を飲用することになる。
【０００６】
なお、従来、この種の缶としては、図６に示すものの他、缶の頂部面における開口用線に囲まれた範囲全体を缶自体から抜き取りできるような小片部に構成して、該小片部自体を缶の頂部面から抜き取ってしまうような所謂プルトップ機構と称されるものも存在する。
【０００７】
しかしながら、前記したような従来における缶蓋にあっては、確かにコップ等の容器が不要で携帯には至便であるが、開口用線２６に囲まれて頂部面２２から剥離される開口部分が非常に狭く小さいものであったために、その飲用に際しては、缶内に充填されている飲料を少量ずつしか飲めないものであった。
【０００８】
従って、従来、缶内の各種飲料、特にビールをコップに注いで飲むのと同じような自然な感触をもって飲用することは不可能であるとともに、特に缶内の充填飲料がビールである場合には、本来、ビール自体はコップに注いで喉越しに飲むのが最もその旨さを発揮できるといわれているにもかかわらず、前記従来のような缶においては、開口部分が非常に狭く小さく少量ずつしか飲めないものであるために、ビール本来の旨さを味わうことができないという問題があった。
【特許文献１】実用新案登録第２６０７１００号公報（図５）
【発明の開示】
【発明が解決しようとする課題】
【０００９】
缶自体でもって、各種飲料をコップに注いで飲むのと同様に自然な感触をもって飲用でき、特に缶内の充填飲料がビールである場合、ビールをコップに注いで飲むの同様に喉越しで飲むことができ、加えて、開口部の開口性も良好な缶蓋が存在しない点である。
【課題を解決するための手段】
【００１０】
本発明の缶蓋は、本体内部にビール又は発泡酒のような飲料が充填される缶の頂部面の蓋であって、前記頂部面の中央領域に、該頂部面の周辺残部領域に対して段差をもって低く形成され、弧状外周部を当該頂部面の外周境界の近傍に臨ませた開口部形成領域と、前記開口部形成領域の中央位置に先端側の近傍が枢着部にて枢着されるとともに、後端側に指かけ用孔を穿設した開口用の小片と、前記開口部形成領域における前記小片の後端側に対応する位置に形成した指掛かり穴と、前記開口部形成領域に形成した前記小片により開口される開口部と、を有し、前記開口部は、前記開口部形成領域において、前記枢着部側を前記小片の突出端側に近接する基端側とし、枢着部を通り前記小片の操作方向の仮想線を想定するとき、仮想線方向の最大寸法を２０ｍｍ、仮想線と直交する方向の最大寸法を２７乃至３５ｍｍとする楕円近似形状の外周を具備し、前記枢着部を基準とする時計回りの角度を想定するとき、前記枢着部から４５度付近の領域の残厚は最も厚い０．１３０乃至０．１４０ｍｍ、枢着部から９０乃至２７０度の範囲又は前記枢着部近傍まで至る開口端までの残厚は最も薄い０．０６５乃至０．０７５ｍｍ、枢着部近傍の領域の残厚を前記２つの残厚の中間の厚さである０．１２０乃至０．１３０ｍｍとしたことを最も主要な特徴とする。
【発明の効果】
【００１１】
請求項１記載の発明によれば、開口用の小片を指で開缶操作することにより開口部形成領域に形成した開口部の基端側以外の部分が前記開口部形成領域から離反し、このとき、前記仮想線方向の最大寸法を２０ｍｍ、仮想線と直交する方向の最大寸法を２７乃至３５ｍｍと大きな開口が確保されるので、この缶自体でもって、各種飲料をコップに注いで飲むのと同じような自然な感触をもって飲用でき、特に缶内の充填飲料がビールである場合、あたかもビールをコップに注いで飲むのと同様に喉越しで飲むことができる。
【００１２】
また、本発明の缶蓋によれば、前記枢着部を基準とする時計回りの角度を想定するとき、枢着部から４５度付近の領域の残厚（スコアレシデュアル）を最も厚い０．１３０乃至０．１４０ｍｍ、枢着部から９０乃至２７０度の範囲又は前記枢着部近傍まで至る開口端までの残厚を最も薄い０．０６５乃至０．０７５ｍｍ、枢着部近傍の領域の残厚を前記２つの残厚の中間の厚さである０．１２０乃至０．１３０ｍｍとしたことにより、前記小片を指で操作して開口部を折り曲げ開口する際に、最初は少し強めに力を入れて枢着部から４５度付近の領域を開けた後は、残りの枢着部から９０度から２７０度までの残厚が最も薄い部分の開口が容易となり、開口部全体の開口を確実に行うことができる。
【００１３】
請求項２記載の発明によれば、前記請求項１記載の発明の開口部において、枢着部から９０乃至２７０度の範囲に至る開口の当該９０度、２７０度付近の形状を半径Ｒ６乃至９ｍｍとしたことにより、前記請求項１記載の発明の効果を一層円滑に発揮できる。
【発明を実施するための最良の形態】
【００１４】
本発明は、缶内の各種飲料、特にビールをコップに注いで飲むのと同じような自然な感触で飲用でき、特に缶内の充填飲料がビールである場合には、ビールをコップに注いで飲むのと殆ど同様に喉越しで飲むことを可能とし、かつ、開口部の開口性も良好な缶蓋を提供するという目的を、本体内部にビール又は発泡酒のような飲料が充填される缶の頂部面の蓋であって、前記頂部面の中央領域に、該頂部面の周辺残部領域に対して段差をもって低く形成され、弧状外周部を当該頂部面の外周境界の近傍に臨ませた開口部形成領域と、前記開口部形成領域の中央位置に先端側の近傍が枢着部にて枢着されるとともに、後端側に指かけ用孔を穿設した開口用の小片と、前記開口部形成領域における前記小片の後端側に対応する位置に形成した指掛かり穴と、前記開口部形成領域に形成した前記小片により開口される開口部と、を有し、前記開口部は、前記開口部形成領域において、前記枢着部側を前記小片の突出端側に近接する基端側とし、枢着部を通り前記小片の操作方向の仮想線を想定するとき、仮想線方向の最大寸法を２０ｍｍ、仮想線と直交する方向の最大寸法を２７乃至３５ｍｍとする楕円近似形状の外周を具備し、前記枢着部を基準とする時計回りの角度を想定するとき、枢着部から４５度付近の領域の残厚を最も厚く、枢着部から９０乃至２７０度の範囲又は前記枢着部の近傍まで至る開口端までの残厚を最も薄く、枢着部近傍の領域の残厚を前記２つの残厚の中間の厚さに設定し、前記開口部において、枢着部から４５度付近の領域の残厚は０．１３０乃至０．１４０ｍｍ、枢着部から９０乃至２７０度の範囲又は前記枢着部近傍まで至る開口端までの残厚は０．０６５乃至０．０７５ｍｍ、枢着部近傍の領域の残厚を前記２つの残厚の中間の厚さは０．１２０乃至０．１３０ｍｍとした構成により達成した。
【実施例】
【００１５】
以下、添付図面を参照して本発明に係る缶蓋の実施例及び参考例を詳細に説明する。
図１は本発明の参考例に係る缶蓋１の平面図であり、この缶蓋１は、例えばアルミニウム製で、図２に示すように、内部にビールをはじめとする飲料が充填されて蓋部１２でもって頂部面３を密封状態にした有底で円筒状の本体２からなり、該頂部面３として該頂部面３に、缶蓋１の内容物であるビール等の飲料を飲用する際の開口部４及び開口部形成領域５を具備している。図２は本実施例に係る缶蓋１が施される缶の一例を示す正面図である。
なお、図２には、缶蓋１と有底で円筒状の本体２とからなる所謂２ピース缶を例として図示しているが、本発明は、２ピース缶に限らず、夫々個別に形成される底部体、本体、缶蓋とからなる所謂３ピース缶にも適用できることは勿論である。また、本発明は、本体２の形状、缶の材質を限定するものではなく、アルミ材の他スチール材をもって缶を形成してもよい。
【００１６】
前記開口部形成領域５は、頂部面３の中央領域に、該頂部面３の周辺残部領域に対して段差５ａをもって低く形成され、弧状外周部５ｂを頂部面３の外周境界の近傍に臨ませている。段差５ａは、開口部形成領域５、更には頂部面３全体の強度向上を図るためである。
【００１７】
また、缶蓋１は、前記開口部形成領域５の中央位置に先端側の近傍が枢着部６にて枢着されるとともに後端側に指かけ用孔７を穿設し、前記先端側の一端隅部に開缶用突片８ａを形成し先端側の他端隅部に押し下げ用突片８ｂを形成した開口用の小片８と、前記開口部形成領域５における前記小片８の後端側に対応する位置に形成した前記小片８の後端側と同等の大きさで指先が少し挿入し得る深さに形成した例えば楕円形状の指掛かり穴９とを有している。
【００１８】
前記小片８における先端側の一端隅部に形成した開缶用突片８ａは、小片８の開缶操作時にまず開口部４の基端側４ａを押圧し、開口部４の一部を開口部形成領域５から離反させてガス抜きを行うものである。また、前記小片８における先端側の他端隅部に押し下げ用突片８ｂは、開缶した開口部４を更に下方（缶内）に押し下げ開口部４の部分を大きく開口させるものである。
【００１９】
なお、前記小片８における先端側の形状は、上述した場合の他、円弧状、凹形状、変形した凹形状（例えば図３の８ａ、８ｂ）、四角形状等の種々の形状を選定できる。
【００２０】
前記開口部４は、開口部形成領域５において、枢着部６側を前記小片８の突出端側に近接する基端側４ａとし、外周に向かって９０度乃至１８０度の範囲に拡開し、弧状外周部４ｂを前記開口部形成領域５の外周境界の近傍に臨ませた一定以上の力の作用で基端側４ａ以外の部分が前記開口部形成領域５から下方に離反する略扇形状（又は略楕円形状）を呈する開口線をもって形成されている。
【００２１】
前記開口部４の形状としては、基端側４ａから外周に向かって９０度乃至１８０度の範囲で拡開するものであればよく、その角度は例えば９０度、１２０度、１５０度等任意とすることができる。
【００２２】
以上説明した本参考例に係る缶蓋１によれば、開口用の小片８を指で開缶操作することにより、開口部形成領域５に形成した外周に向かって９０度乃至１８０度の範囲に拡開し、弧状外周部を前記開口部形成領域の外周境界の近傍に臨ませた開口部４の基端側４ａ以外の部分が、前記開口部形成領域５から離反し、図３に示すように、大きな開口１０が得られるので、頂部面３における広い範囲が開口することになり、この缶蓋１自体でもって、各種飲料をコップに注いで飲むのと同じような自然な感触をもって飲用でき、特に缶内の充填飲料がビールである場合、あたかもビールをコップに注いで飲むのと同様に喉越しで飲むことが可能となる。
【００２３】
また、本参考例に係る缶蓋１によれば、大きな開口１０が得られることから飲用者の唇や指等の怪我を防止でき、開口部の散乱もない缶蓋１を提供できる。
【００２４】
更に、前記開口部形成領域５には前記小片８の後端側に対応する位置に形成した小片８の後端側と同等の大きさの指掛かり穴９を備えているので、開缶操作時の指掛かりが極めて良好になり、更に、開口用の小片８の先端側の一端隅部に開缶（ガス抜き）用突片８ａを、先端側の他端隅部に開口部４の押し下げ用突片８ｂを形成しているので、指による開口部４の開缶操作を極めて簡略容易に行うことができる。
【００２５】
更にまた、前記開口部形成領域５は、頂部面３の中央領域に、該頂部面３の周辺残部領域に対して段差５ａをもって低く形成されているので、開口部４が押し下げられた後においても開口部形成領域５の強度を保つことができ、頂部面３のペコペコ感を無くすことができる。
【００２６】
次に、図４、図５を参照して本発明の実施例について説明する。図４は本実施例に係る缶蓋１Ａの平面図であり、この缶蓋１Ａは、基本的には図１に示す缶蓋１と略同様な構成を有するため、同一機能部分には同一符号を付して示す。
【００２７】
図４に示す缶蓋１Ａは、前記開口部形成領域５において、枢着部６側を前記小片４の突出端側に近接する基端側４ａとし、枢着部６を通り前記小片４の操作方向の仮想線Ｌを図５に示すように想定するとき、仮想線Ｌ方向の最大寸法を２０ｍｍ、仮想線と直交する方向の最大寸法を２７乃至３５ｍｍとする楕円近似形状の外周を呈する開口線４ａにより区画される開口部４を設けたことが特徴である。
【００２８】
また、前記開口部４は、前記枢着部６を基準とする時計回りの角度を想定するとき、枢着部６から４５度付近の領域の開口線４ｃ部分の残厚（スコアレシデュアル）を最も厚く（好ましくは例えば０．１３０乃至０．１４０ｍｍ）、枢着部６から９０乃至２７０度の範囲又は前記枢着部６の近傍まで至る開口端４ｄまでの開口線４ｃ部分の残厚を最も薄く（好ましくは例えば０．０６５ｍｍ乃至０．０７５ｍｍ）、枢着部６近傍の領域の開口線４ｃ部分の残厚を前記２つの残厚の中間の厚さ（好ましくは例えば０．１２０ｍｍ乃至０．１３０ｍｍ）に設定している。
本実施例では、前記開口部４における枢着部６から９０乃至２７０度の範囲に至る開口線４ｃの当該９０度、２７０度付近の形状を半径Ｒ６乃至９ｍｍにしている。
【００２９】
図４及び図５に示す本実施例に係る缶蓋１Ａにおいて、開口用の小片８を指で開缶操作することにより、垂直破線の仮想線Ｌとこれに水平に交叉する水平破線との交叉点の位置を基準とする場合、開口部形成領域５に形成した開口部４が時計の短針で指し示すと、ほぼ１０時半〜１２時に位置する部分が残り、それ以外の部分は前記開口部形成領域５から離反し、このとき、前記仮想線Ｌ方向の最大寸法を２０ｍｍ、仮想線Ｌと直交する方向の最大寸法を２７乃至３５ｍｍと大きな開口が確保されるので、この缶蓋１Ａによって、各種飲料をコップに注いで飲むのと同じような自然な感触をもって飲用でき、特に缶内の充填飲料がビールである場合、あたかもビールをコップに注いで飲むのと同様に喉越しで飲むことができる。
【００３０】
また、前記缶蓋１Ａによれば、枢着部６を基準とする時計回りの角度を想定するとき、図５で示すように、垂直破線の仮想線Ｌとこれに水平に交叉する水平破線との交叉点から４５度付近の領域の残厚（スコアレシデュアル）を最も厚く、枢着部６から９０乃至２７０度の範囲又は前記枢着部６の近傍まで至る開口端４ｄまでの残厚を最も薄く、枢着部６の近傍の領域の残厚を前記２つの残厚の中間の厚さに設定しているので、前記小片８を指で操作し、開口部４の基端側４ａの部分を折り曲げ開口する際に、最初は少し強めに力を入れて枢着部６を基準として当該部分〜４５度付近の領域を開けた後は、残りの枢着部６を基準として当該部分〜９０度乃至開口端４ｃ付近までの残厚が最も薄い部分の開口が容易となり、開口部４の基端側４ａを除いた全体の開口を迅速、確実に行うことが可能となる。
【産業上の利用可能性】
【００３１】
本発明は、ビールのような飲料の他、発泡酒のような飲料にも適用して好適である。
【図面の簡単な説明】
【００３２】
【図１】本発明の参考例に係る缶蓋の平面図である。
【図２】本発明の実施例及び参考例に係る缶蓋が施される缶の一例の正面図である。
【図３】本発明の参考例に係る図１に示す缶蓋の開口状態を示す平面図である。
【図４】本発明の実施例に係る缶蓋の平面図である。
【図５】本発明の実施例に係る図４に示す缶蓋の開口部の説明図である。
【図６】従来の缶蓋の平面図である。
【符号の説明】
【００３３】
１    缶蓋
１Ａ  缶蓋
２    本体
３    頂部面
４    開口部
４ａ  基端側
４ｂ  弧状外周部
４ｃ  開口線
４ｄ  開口端
５    開口部形成領域
５ａ  段差
５ｂ  弧状外周部
６    枢着部
７    指かけ用孔
８    小片
８ａ  開缶用突片
８ｂ  押し下げ用突片
９    指掛かり穴
１０    開口
１２    蓋部
【図１】
0004666952.tif 000002
【図２】
0004666952.tif 000003
【図３】
0004666952.tif 000004
【図４】
0004666952.tif 000005
【図５】
0004666952.tif 000006
【図６】
0004666952.tif 000007